(57)【要約】  本発明は、直角に相互結合されて実質的にＬ字状の断面部分を有する細長いコーナ部を形成する、２つの実質的に平坦なパネルを備える、生きた家禽を収容するための家禽容器に取り外し可能に連結する家禽容器扉コーナ部に関する。本発明は、また、家禽容器扉コーナ部の保持用の家禽容器扉枠に関する。さらに、本発明は、生きた家禽を収容するための家禽容器のみならず、家禽容器扉コーナ部、家禽容器扉枠を備える家禽容器扉にも関する。【選択図】図１
2019533460.tif 000002
【特許請求の範囲】
【請求項１】
生きた家禽を収容するための家禽容器に取り外し可能に連結する家禽容器扉コーナ部であって、
直角に相互結合されて実質的にＬ字状の断面部分を有する細長いコーナ部を形成する、２つの実質的に平坦なパネルを備え、
前記パネルは開口部を備え、
前記パネルの少なくとも１つは、また、扉枠輪郭部を保持するための少なくとも１つの開口溝部を含むことを特徴とする家禽容器扉コーナ部。
【請求項２】
前記パネルの少なくとも１つは、好ましくは突出結合要素である結合要素を備えることを特徴とする請求項１に記載の家禽容器扉コーナ部。
【請求項３】
前記結合要素は円筒形であることを特徴とする請求項２に記載の家禽容器扉コーナ部。
【請求項４】
前記開口溝部は前記細長いコーナ部の長手方向に平行であることを特徴とする請求項１〜３のいずれかに記載の家禽容器扉コーナ部。
【請求項５】
前記開口溝部は、長手方向側開口部を備えることを特徴とする請求項１〜４のいずれかに記載の家禽容器扉コーナ部。
【請求項６】
前記溝部の長手方向側開口部の幅は、前記溝部の幅よりも小さいことを特徴とする請求項５に記載の家禽容器扉コーナ部。
【請求項７】
前記溝部は、前記細長いコーナ部の長手方向に対して垂直に方向づけられた複数のフィンによって画定されることを特徴とする請求項１〜６のいずれかに記載の家禽容器扉コーナ部。
【請求項８】
前記家禽容器扉コーナ部は、合成材料から作られていることを特徴とする請求項１〜７のいずれかに記載の家禽容器扉コーナ部。
【請求項９】
前記家禽容器扉コーナ部は、単一構造要素として成形されていることを特徴とする請求項１〜８のいずれかに記載の家禽容器扉コーナ部。
【請求項１０】
前記家禽容器扉コーナ部は、少なくとも１つの補強リブを備えることを特徴とする請求項１〜９のいずれかに記載の家禽容器扉コーナ部。  
【請求項１１】
前記家禽容器扉コーナ部の前記溝内に誘導するための扉枠輪郭部を有する、請求項１〜１０のいずれかに記載の家禽容器扉コーナ部支持用の家禽容器扉枠。
【請求項１２】
前記枠は、前記家禽容器扉コーナ部の結合要素と協働するための対向結合部を備えることを特徴とする請求項１１に記載の家禽容器扉枠。
【請求項１３】
前記家禽容器扉枠の前記対向結合部は、前記家禽容器扉枠内の開口部の輪郭によって形成されることを特徴とする請求項１２に記載の家禽容器扉枠。
【請求項１４】
請求項１〜１０のいずれかに記載の家禽容器扉コーナ部および請求項１１〜１３のいずれかに記載の家禽容器扉枠を備える家禽容器扉であって、
扉枠輪郭部は前記家禽容器扉コーナ部の前記溝部によって保持され、前記家禽容器扉コーナ部の前記結合要素は、前記家禽容器扉枠の前記対向結合部に結合される、家禽容器扉。
【請求項１５】
前記家禽容器扉コーナ部の突出結合要素は、前記家禽容器扉枠内の前記対向結合部の開口部の輪郭部によって保持されることを特徴とする請求項１４に記載の家禽容器扉。
【請求項１６】
前記家禽容器扉コーナ部の前記突出結合要素は、前記対向結合部の開口部の輪郭部内において、迅速ロックファスナー（押出ファスナー、「スターロック」ファスナーなどの固定ワッシャー）によって固定されることを特徴とする請求項１５に記載の家禽容器扉。
【請求項１７】
生きた家禽を収容するための家禽容器であって、底壁および前記底壁から突出する４つの側壁を備え、請求項１４〜１６のいずれかに記載の家禽容器扉を含む、家禽容器。
【発明の詳細な説明】
【技術分野】
【０００１】
本発明は、生きた家禽を収容するための家禽容器に取り外し可能に連結する家禽容器扉コーナ部および家禽容器扉コーナ部を支持する家禽容器扉枠に関する。加えて本発明は、生きた家禽を収容するための家禽容器のみならず、家禽容器扉コーナ部および家禽容器扉枠を備える家禽容器扉に関する。
【背景技術】
【０００２】
家禽の収容と輸送（例えば、養鶏場内、養鶏場から別の養鶏場へ、輸送車両上、養鶏場から食鳥処理場へ、又は食鳥処理場内）の間、生きた家禽は通常、家禽保持器に収容され又は家禽保持器に入れられ輸送される。このような家禽保持器は通常、およそ１ダース又は数ダースの複数の動物を収容するよう設計されている。これらの家禽保持器はパレット、枠箱、ケージ、又は容器とも称される。容易な物流のために、複数のそのような家禽保持器を共用支持構造体内において結合してもよく、その共用支持構造体は、家禽保持器をコンパクトに積み重ね、支持構造体を幾つかの保持器と一緒に単一ユニットとして移動するのを可能にする。支持構造体は、スチール枠から構成されてもよく、そのスチール枠内には複数の家禽保持器が積み重ねられて（多層に）収容され、該スチール枠からこれら家禽保持器を全部又は部分的に取り除くことができる。従って、該支持構造体は例えば、整理ダンスの引き出しと同様に、これら家禽保持器がスライドして選択可能に支持構造体内に完全に入ったり出たりできるように具現化されてもよい。別の可能性は、支持構造体が個々に制御可能な閉じる手段が設けられた複数の区画を備えるように家禽保持器を支持構造体と一体化することである。
【０００３】
代わりに、所望の高さの容器組立体となるように互いに連結して積み重ねてもよい複数の個別の容器が使用されてもよい。実際には、例えば、４個、５個または６個の容器を相互に積み重ねた容器組立体を使用してもよい。容器組立体の生きた家禽を収容する各個別の容器は、容器蓋を有する容器組立体の最上部の容器を除いて、その容器の上に置かれた容器区画によって覆われる。
【０００４】
家禽容器には、家禽容器の下部へのアクセスを提供するために家禽容器扉が備えられており、例えば、その家禽容器の下にある家禽容器へ収容するまたは空にするために家禽容器扉を用いて解放してもよい。家禽容器には、側壁の１つの一部と、底壁の該側壁の一部が接続された一部とにより形成された扉が設けられており、扉は、家禽容器の残りの部分に可動に連結され、扉が家禽容器の残りの部分に嵌った状態と扉が側壁と底壁とに家禽の通路用の開口を残した状態の間で変位可能である。家禽容器扉は、側壁の１つの区画から形成されており、およびそれが家禽容器の比較的安定的な構造を提供する底壁の区画に連結され、側壁の少なくとも３つで統一的な（堅固な）構造要素として構築されてもよい。加えて、家禽容器扉は、その「単一側壁構造」のために、比較的制御することが容易で、片手で取り扱ってもよい。家禽容器の家禽容器扉はまた、家禽容器の一方側または両側が別の物（例えば別の家禽容器）に立てかけられている場合にも使用することが可能である。家禽容器扉を開放することにより、すなわちそれは家禽容器扉を家禽容器扉が家禽の通過のために側壁と底壁を開口したままの状態にしていることを意味するが、家禽は、開放された家禽容器の下の位置に収容されてもよい。家禽容器が別の家禽容器の上に積み重ねられている場合においては、下方の家禽容器は、生きた家禽が収容されてもよく、より高い家禽容器の家禽容器扉が開放されて低い家禽容器の家禽容器扉が閉じられている。
【０００５】
家禽保持器又は家禽容器はしばしば再利用され、様々な処理ステップを経る。これらの処理ステップの間、家禽容器はしばしば粗雑に取り扱われ、家禽容器との様々な物理的接触を引き起こす。また、家禽容器の使用は家禽容器への化学的負荷も引き起こす場合がある（例えば、家禽排泄物及び／又は使用される洗浄剤による）。
【発明の概要】
【発明が解決しようとする課題】
【０００６】
本発明の目的は、堅固であるがダメージおよび／または摩耗の場合に修復することが容易な家禽容器扉を提供することである。本発明の更なる目的は、個別化することまたは特定の条件に適合することが容易な家禽容器扉を提供することである。
【課題を解決するための手段】
【０００７】
本発明は、この目的のために、生きた家禽を収容するための家禽容器に取り外し可能に連結する家禽容器扉コーナ部であって、直角に相互結合されて実質的にＬ字状の断面部分を有する細長いコーナ部を形成する２つの実質的に平坦なパネルを備え、パネルは開口部を備え、パネルの少なくとも１つはまた扉枠輪郭部を保持するための少なくとも１つの開口溝部を含むことを特徴とする家禽容器扉コーナ部を提供する。
【０００８】
取り外し可能な家禽容器扉コーナ部は、家禽容器扉に損傷がある場合に、家禽容器扉コーナ部を交換することが可能である。家禽容器の扉は、横からの、および底から突き上げる、衝撃に敏感であり、加えて家禽容器扉は家禽容器の残りに移動可能に（摺動可能におよび／または回転可能に）連結しているので、摩耗および損傷を受けやすい。例えば、家禽容器を取り扱うフォークリフトのフォークは、取扱い操作がやや不正確であれば、家禽容器扉を損傷しうる。加えて、家禽容器扉は、家禽容器の（枠のような）基礎構造よりも軽い材料から作られているので、家禽容器扉は、家禽容器に対してより弱い構造強度とせざるを得ない。家禽容器扉は、従って家禽容器の基礎構造よりもより軽い構造であってもよい。しかしながら、これが家禽容器扉を家禽容器の傷つきやすい部分にしている。
【０００９】
取り外し可能な家禽容器扉コーナ部の更なる利点は、家禽容器扉が「個別化」されてもよいことである。例えば、家禽容器扉コーナ部の色および／または印刷を変更してもよい。例えば寒い条件（寒い場所および／または寒い季節）において換気孔が少ない家禽容器扉コーナ部、および暖かい条件（暖かい場所および／または暖かい季節）において換気孔が多い家禽容器扉コーナ部など特別な条件での使用に適合させることも可能である。極端な条件においては他のやり方に加えて、より重たい家禽容器扉コーナ部を選択することも可能である。
【００１０】
これらの利点は、直角に相互結合されて実質的にＬ字状の断面部分を有する細長いコーナ部を形成する２つの実質的に平坦なパネルを備える家禽容器扉コーナ部を有する本発明により実現される。このような、「コーナ部」は、家禽容器の内部の通気を提供するための開口部を備えている。扉枠輪郭部を保持するための少なくとも１つの開口溝部は、簡単な構造であってもよく、支持構造（枠）の横木またはロッド（これはまた、より一般的に「輪郭部（profile section）」と呼ばれる）を収容するようになっている。加えてまた、最も摩耗を受けやすい家禽容器扉の場所、または特定の機能（例えば摺動接触を有するガイド表面など）は、枠（支持構造）によって形成されている。家禽容器扉コーナ部を別の家禽容器扉コーナ部に交換しなければならない場合には、家禽容器扉の枠（支持構造）は、その家禽容器扉コーナ部から切り離されて代替の家禽容器扉コーナ部に再連結されてもよい。これにより、交換部分の大きさとコストを最小化する。加えて、これは単一の材料から製造でき、単一の生産プロセスでもおよび／または、簡単な構造要素でもよいので、家禽容器扉コーナ部の生産を簡単にする。
【００１１】
少なくとも１つのパネルは結合要素を備えてもよい。好ましくは、例えば円筒結合要素などの突出結合要素である。そのような結合要素は、家禽容器扉コーナ部と家禽容器扉枠の堅固な結合を可能にする。
【００１２】
開口溝部は細長いコーナ部の長手方向に平行であってもよい。すなわち、開口溝部は、パネル間のコーナの長手方向と平行であってもよい。特にこの長手方向においては、家禽容器扉コーナ部に対する追加的な支持が望まれる。家禽容器扉コーナ部と家禽容器扉枠との枠輪郭部の簡単な組立のために、開口溝部は長手方向の開口部を備える。特定の実施形態においては、溝部の長手方向開口部の幅は、枠輪郭部に対して狭い入口を提供するために溝部の幅よりも小さい。より小さい開口通路部を通過した後で、枠輪郭部はより広い溝に入る。この特徴は、家禽容器扉枠の枠輪郭部の家禽容器扉コーナ部との制御されない開放を制限する形態係合連結を可能にする。家禽容器扉コーナ部の材料所要を最小化するために、また、より軽い構造を支持するために、および従って、より容易な使用のために、溝部は、細長いコーナ部の長手方向に垂直に方向づけられた複数のフィンにより確定されてもよい。このような溝部構造は、家禽容器扉コーナ部と家禽容器扉枠の枠輪郭部との間で種々の接触位置を有する実質的に開口溝部構造に帰結する。家禽容器扉枠に起因して、家禽容器扉コーナ部は、容易な生産（例えば成形）、耐久性および軽量の利点を兼備する合成材料から作られてもよい。
【００１３】
家禽容器扉コーナ部は、また例えば、家禽容器扉コーナ部の対向する周辺側に連結する補強リブなどの、少なくとも１つの補強リブを備えてもよい。そのような構造は、追加的な構造強度を提供する。
【００１４】
本発明は、また、本発明による家禽容器扉コーナ部を保持するための家禽容器扉枠を提供する。家禽容器扉枠は、家禽容器扉コーナ部の溝内に誘導するための扉枠輪郭部を有する。家禽容器扉コーナ部と家禽容器扉枠とを組み合わせる利点は、前述の家禽容器扉コーナ部に関連してすでに述べているが、ここで、家禽容器扉枠に対しても参照として組み込まれる。より堅固および／または安定的な組立のために、枠は、家禽容器扉コーナ部の結合要素と協働する対向結合部を備えてもよい。比較的簡単な構造である一実施形態においては、家禽容器扉枠の対向結合部が家禽容器扉枠内の開口部の輪郭部によって形成されてもよい。
【００１５】
本発明はまた、前述した本発明による家禽容器扉コーナ部および同じく前述した本発明による家禽容器扉枠を備える家禽容器扉を提供する。ここで、扉枠輪郭部は家禽容器扉コーナ部の溝部によって保持され、家禽容器扉コーナ部の結合要素は、家禽容器扉枠の対向結合部に結合される。家禽容器扉コーナ部の突出結合要素は、家禽容器扉枠の対向結合部の開口部の輪郭部によって保持されてもよい。家禽容器扉コーナ部の突出結合要素は、対向結合部の開口部の輪郭部内において、迅速ロックファスナーによって固定されてもよい。これらのファスナーは簡単で使用が容易で、安価であり、「押出ファスナー（push on fasteners）」、または、例えば「スターロック（star lock）」ファスナーとして市販されている「固定ワッシャー（fixing washers）」として知られている。
【００１６】
最終的に、本発明はまた、底壁および底壁から突出する４つの側壁を備えており、本発明の家禽容器扉を含む、生きた家禽を収容するための家禽容器を提供する。
【００１７】
以下の図に示される例示的な実施形態に基づいて、本発明を以下に詳細に説明する。
【図面の簡単な説明】
【００１８】
【図１】本発明による家禽容器扉コーナ部の斜視概略図である。
【図２】本発明による家禽容器扉枠の斜視概略図である。
【図３】家禽容器扉枠輪郭部を保持する家禽容器扉コーナ部の詳細な斜視図である。
【図４Ａ】家禽容器扉枠輪郭部への連結を保持する家禽容器扉コーナ部の別の部分である。
【図４Ｂ】家禽容器扉枠輪郭部への連結を保持する家禽容器扉コーナ部の別の部分である。
【発明を実施するための形態】
【００１９】
図１は、前面パネル２および底面パネル３である、２つの実質的に平坦なパネル２、３を有する家禽容器扉コーナ部１を示す。これらのパネル２、３は、相互に直角に結合している（家禽容器扉コーナ部１の側面から、実質的にＬ字形状の断面部分が見える）。この実質的に平坦なパネル２、３は、容器内に収容される家禽の通気用の開口部４を備える。前面パネル２で分かるように、補強リブ５が備えられており、それにより家禽容器扉コーナ部１の構造強度を高める。この図１においては、家禽容器扉コーナ部１が補強枠または家禽容器扉の残りと結合していない場合を示す。前面パネル２は、また、開口溝部６（図示された表示内では正面に開口）を備えており、開口溝部は家禽容器扉枠（この図においては家禽容器扉枠は見えない）の輪郭部のハウジングとして用いられる。開口溝部６は、フィン７（図１における垂直リブ）によって作られている。また、図４Ａおよび４Ｂに関連して述べられる結合要素を提供する底面パネル３の一部であるフラップ８にも注目されたい。
【００２０】
図２は、図１に示す家禽容器扉コーナ部１を支持するための家禽容器扉枠１０を示す。家禽容器扉枠１０は、図１に示す家禽容器扉コーナ部１内での溝部６に嵌め込まれる輪郭部１１を備える。輪郭部１１、前面パネルバー１２および底面バー１３からなる家禽容器扉枠１０の空間構造は、実質的に家禽容器扉コーナ部１の外部境界となる。底面バー１３は、開口部１５を有する結合プレート１４を支持し、その開口部が、図１に示すように底面パネル３のフラップ８から突出する結合要素と協働する。  
【００２１】
図３は、図２に示す家禽容器扉枠輪郭部１１を保持する、図１に示す家禽容器扉コーナ部１の部分を示す。輪郭部１１は、前面パネル２の溝６内に配置されている。また、前面パネル２および底面パネル３が単一材料部分として連結されている。前面パネル２内の溝６は、フィン７によって作られている。
【００２２】
図４Ａおよび４Ｂは、家禽容器扉コーナ部１の図３とは別のより詳細な図を示す。より具体的には底面バー１３が開口部１５を有する結合プレート１４を支持している。開口部１５は、底面パネル３の下側から突出する突出結合要素１６を保持する。図４Ｂにおいては、また、固定ワッシャー１７が、家禽容器扉コーナ部１と家禽容器扉枠１０との間の確実な結合を提供するために、突出結合要素１６を押し込むように示されている。
【図１】
2019533460.tif 000003
【図２】
2019533460.tif 000004
【図３】
2019533460.tif 000005
【図４Ａ】
2019533460.tif 000006
【図４Ｂ】
2019533460.tif 000007
【国際調査報告】
2019533460.tif 000008
2019533460.tif 000009
2019533460.tif 000010
2019533460.tif 000011